【手続補正書】
【提出日】平成22年8月11日(2010.8.11)
【手続補正１】
【補正対象書類名】特許請求の範囲
【補正対象項目名】全文
【補正方法】変更
【補正の内容】
【特許請求の範囲】
【請求項１】
拡張可能部材が縮退構成から拡張構成に移動されるときに、骨構造の第１の部分を前記骨構造の第２の部分に関して変位させるように構成された拡張可能部材と、
シャフトと細長い部材とを含む細長いアセンブリであって、前記シャフトが内腔を画定し、前記細長い部材が前記シャフトの前記内腔の内部に回転可能に配設された、細長いアセンブリと
を備え、
前記拡張可能部材の近位端部が、前記シャフトの遠位端部に結合され、
前記拡張可能部材の遠位端部が、前記細長い部材の遠位端部に結合された、装置。
【請求項２】
請求項１記載の装置において、更に、
前記拡張可能部材の外面が外側シースの内面と不連続に接触するように前記拡張可能部材の周りに配設された外側シースを備え、
前記拡張可能部材と前記外側シースとが、前記拡張可能部材が前記縮退構成から前記拡張構成に移動されるときに、前記骨構造の前記第１の部分を前記骨構造の前記第２の部分に関して協働して変位させるように構成された、装置。
【請求項３】
請求項１記載の装置において、
前記拡張可能部材が、第１の材料から構成され、
前記装置が、更に、
前記拡張可能部材の外面が外側シースの内面と不連続に接触するように前記拡張可能部材の周りに配設された外側シースであって、前記第１の材料とは異なる第２の材料から構成された外側シースを備える、装置。
【請求項４】
請求項１記載の装置において、
前記拡張可能部材が、ある分子構造を有する第１のポリマーから構成され、
前記装置が、更に、
前記拡張可能部材の外面が外側シースの内面と不連続に接触するように前記拡張可能部材の周りに配設された外側シースであって、前記第１のポリマーの前記分子構造よりも非晶質の分子構造を有する第２のポリマーから構成された外側シースを備える、装置。
【請求項５】
請求項１記載の装置において、
前記拡張可能部材が、ある潤滑性を有する第１のポリマーから構成され、
前記装置が、更に、
前記拡張可能部材の外面が外側シースの内面と不連続に接触するように前記拡張可能部材の周りに配設された外側シースであって、前記第１のポリマーの前記潤滑性よりも大きい潤滑性を有する第２のポリマーから構成された外側シースを備える、装置。
【請求項６】
請求項１記載の装置において、
前記拡張可能部材が、ナイロンを含み、
前記装置が、更に、
前記拡張可能部材の外面が外側シースの内面と不連続に接触するように前記拡張可能部材の周りに配設された外側シースであって、ポリテトラフルオロエチレン（ＰＴＦＥ）を含む外側シースを備える、装置。
【請求項７】
請求項１記載の装置において、
前記拡張可能部材が、０パーセント乃至２０パーセントの間のコンプライアンスを有する第１のポリマーから構成され、
前記装置が、更に、
前記拡張可能部材の外面が外側シースの内面と不連続に接触するように前記拡張可能部材の周りに配設された外側シースであって、前記第１のポリマーの前記コンプライアンスよりも大きいコンプライアンスを有する第２のポリマーから構成された外側シースを備える、装置。
【請求項８】
請求項１記載の装置において、
前記拡張可能部材が、０パーセント乃至２０パーセントの間のコンプライアンスを有する第１のポリマーから構成され、
前記装置が、更に、
前記拡張可能部材の外面が外側シースの内面と不連続に接触するように前記拡張可能部材の周りに配設された外側シースであって、約５０パーセントのコンプライアンスを有する第２のポリマーから構成された外側シースを備える、装置。
【請求項９】
請求項１記載の装置において、更に、
前記拡張可能部材の外面が外側シースの内面と不連続に接触するように前記拡張可能部材の周りに配設された外側シースを備え、
前記外側シースが、９０ミリグラム未満の材料損失のテーバ耐摩耗性値、７０立方ミリメートル未満の回転ドラム耐摩耗性値、２．５４ｃｍ当たり１２７．１２ｋｇ（１インチ当たり２８０ポンド）よりも大きいエルメンドルフ引裂き強度、または少なくとも５．４４８ｋｇ（１２ポンド）の穿孔力の少なくとも１つによって特徴付けられる、装置。
【請求項１０】
請求項１記載の装置において、更に、
前記拡張可能部材の外面が外側シースの内面と不連続に接触するように前記拡張可能部材の周りに配設された外側シースを備え、
前記拡張可能部材と前記外側シースとが、一体として、少なくとも１．４メガパスカルの定格バースト圧を有する、装置。
【請求項１１】
請求項１記載の装置において、更に、
前記拡張可能部材の外面が外側シースの内面と不連続に接触するように前記拡張可能部材の周りに配設された外側シースを備え、
前記拡張可能部材と前記外側シースとが、一体として、１．４メガパスカル乃至２．８メガパスカルの間の定格バースト圧を有する、装置。
【請求項１２】
請求項１記載の装置において、更に、
前記拡張可能部材の外面が外側シースの内面と不連続に接触するように前記拡張可能部材の周りに配設された外側シースを備え、
前記拡張可能部材と前記外側シースとが、一体として、少なくとも５．５メガパスカルの定格バースト圧を有する、装置。
【請求項１３】
請求項１記載の装置において、
前記骨構造が、椎骨であり、
前記骨構造の前記第１の部分が、前記椎骨の終板であり、
前記骨構造の前記第２の部分が、前記椎骨の皮質壁であり、
前記装置が、更に、
前記拡張可能部材の外面が外側シースの内面と不連続に接触するように前記拡張可能部材の周りに配設された外側シースを備え、
前記拡張可能部材と前記外側シースとが、前記拡張可能部材が前記縮退構成から前記拡張構成に移動されるときに、前記椎骨の前記終板を前記椎骨の前記皮質壁に関して協働して変位させるように構成され、
前記拡張可能部材と前記外側シースとが、前記椎骨終板を前記皮質壁に関して変位させることに関連付けられる圧力に協働して耐えるように構成された、装置。
【請求項１４】
請求項１記載の装置において、
前記拡張可能部材が、第１の材料から構成され、
前記装置が、更に、
前記拡張可能部材の周りに配設された外側シースであって、前記第１の材料とは異なる第２の材料から構成された外側シースと、
前記外側シースを前記拡張可能部材に結合させるように構成されたクランプと
を備える、装置。
【請求項１５】
請求項１記載の装置において、
前記拡張可能部材が、第１の材料から構成され、
前記装置が、更に、
前記拡張可能部材の周りに配設された外側シースであって、前記第１の材料とは異なる第２の材料から構成された外側シースと、
前記外側シースを前記拡張可能部材に結合させるように構成されたクランプであって、弾性バンド、非弾性タイラップ、ばねクランプ、またはスエージクランプの任意の１つを含むクランプと
を備える、装置。
【請求項１６】
請求項１記載の装置において、
前記拡張可能部材が、第１の材料から構成され、
前記装置が、更に、
前記拡張可能部材の周りに配設された外側シースであって、前記第１の材料とは異なる第２の材料から構成された外側シースと、
前記外側シースを前記拡張可能部材に結合させるように構成されたクランプであって、ステンレス鋼、ニッケルとチタンとを含む合金、チタン、または白金の少なくとも１つから構成されたクランプと
を備える、装置。
【請求項１７】
請求項１記載の装置において、
前記拡張可能部材が、第１の材料から構成され、
前記装置が、更に、
前記拡張可能部材の周りに配設された外側シースであって、前記第１の材料とは異なる第２の材料から構成された外側シースと、
拡張可能部材が前記細長い部材に対して流体封止されるように前記外側シースを前記拡張可能部材に結合させるように構成されたクランプと
を備える、装置。
【請求項１８】
請求項１記載の装置において、
前記拡張可能部材が、第１の層と、前記第１の層の周りに配設された第２の層とを含み、
前記第１の層が、ある分子構造を有する第１のポリマーから構成され、
前記第２の層が、前記第１のポリマーの前記分子構造よりも非晶質の分子構造を有する第２のポリマーから構成された、装置。
【請求項１９】
請求項１記載の装置において、
前記拡張可能部材が、第１の層と、前記第１の層の周りに配設された第２の層とを含み、
前記第１の層が、ある分子構造を有する第１のポリマーから構成され、
前記第１の層が、前記拡張可能部材が前記縮退構成にあるときに複数の襞を画定し、
前記第２の層が、前記第１のポリマーの前記分子構造よりも非晶質の分子構造を有する第２のポリマーから構成され、
前記第２の層が、前記第１の層の外面が前記第２の層の内面と不連続に接触するように前記第１の層の周りに配設された、装置。
【請求項２０】
請求項１記載の装置において、
前記拡張可能部材の少なくとも一部分が前記細長い部材の周りで少なくとも４回転させてねじられるときに前記拡張可能部材の前記近位端部が前記シャフトの前記遠位端部に関して回転しないように、前記拡張可能部材の前記近位端部が前記シャフトの前記遠位端部に結合され、
前記拡張可能部材の少なくとも前記部分が前記細長い部材の周りで少なくとも４回転させてねじられるときに前記拡張可能部材の前記遠位端部が前記細長い部材の前記遠位端部に関して回転しないように、前記拡張可能部材の前記遠位端部が前記細長い部材の前記遠位端部に結合された、装置。
【請求項２１】
請求項１記載の装置において、
前記細長いアセンブリが、体内に経皮的に挿入されるように構成されたカテーテルアセンブリである、装置。
【請求項２２】
請求項１記載の装置において、
前記拡張可能部材の少なくとも一部分が前記細長い部材の周りで少なくとも４回転させてねじられるときに前記拡張可能部材の前記近位端部が前記シャフトの前記遠位端部に関して回転しないように、前記拡張可能部材の前記近位端部が前記シャフトの前記遠位端部に結合され、
前記拡張可能部材の少なくとも前記部分が前記細長い部材の周りで少なくとも４回転させてねじられるときに前記拡張可能部材の前記遠位端部が前記細長い部材の前記遠位端部に関して回転しないように、前記拡張可能部材の前記遠位端部が前記細長い部材の前記遠位端部に結合され、
前記細長いアセンブリが、あるサイズを有する内腔を画定するカニューレを通して体内に経皮的に挿入されるように構成されたカテーテルアセンブリであり、
前記拡張可能部材が、前記拡張可能部材のサイズが前記カニューレによって画定される前記内腔の前記サイズよりも小さい挿入構成を有し、
前記拡張可能部材の前記部分が、前記拡張可能部材が前記挿入構成にあるときに前記細長い部材の周りで少なくとも４回転させてねじられる、装置。
【請求項２３】
請求項１記載の装置において、
前記拡張可能部材の少なくとも一部分が前記細長い部材の周りで少なくとも４回転させてねじられるときに前記拡張可能部材の前記遠位端部と前記細長い部材の前記遠位端部との間で気密封止が維持されるように、前記拡張可能部材の前記遠位端部が前記細長い部材の前記遠位端部に結合され、
前記拡張可能部材の少なくとも前記部分が前記細長い部材の周りで少なくとも４回転させてねじられるときに前記拡張可能部材の前記近位端部と前記シャフトの前記遠位端部との間で気密封止が維持されるように、前記拡張可能部材の前記近位端部が前記シャフトの前記遠位端部に結合された、装置。
【請求項２４】
請求項１記載の装置において、
前記拡張可能部材の少なくとも一部分が前記細長い部材の周りで少なくとも６回転させてねじられるときに前記拡張可能部材の前記遠位端部と前記細長い部材の前記遠位端部との間で気密封止が維持されるように、前記拡張可能部材の前記遠位端部が前記細長い部材の前記遠位端部に結合され、
前記拡張可能部材の少なくとも前記部分が前記細長い部材の周りで少なくとも６回転させてねじられるときに前記拡張可能部材の前記近位端部と前記シャフトの前記遠位端部との間で気密封止が維持されるように、前記拡張可能部材の前記近位端部が前記シャフトの前記遠位端部に結合された、装置。
【請求項２５】
請求項１記載の装置において、
前記拡張可能部材の前記遠位端部が、約３ミリメートル未満の前記細長い部材の長手方向軸に沿った長さにわたって、前記細長い部材の前記遠位端部に結合された、装置。
【請求項２６】
請求項１記載の装置において、
前記拡張可能部材の前記遠位端部が、約２ミリメートル未満の前記細長い部材の長手方向軸に沿った長さにわたって、前記細長い部材の前記遠位端部に結合された、装置。
【請求項２７】
請求項１記載の装置において、
前記拡張可能部材の前記近位端部が、７ミリメートル未満の前記シャフトの長手方向軸に沿った長さにわたって、前記シャフトの前記遠位端部に結合された、装置。
【請求項２８】
請求項１記載の装置において、
前記拡張可能部材の前記遠位端部が、熱接合プロセスとレーザ接合プロセスとを使用して、前記細長い部材の前記遠位端部に接合された、装置。
【請求項２９】
請求項１記載の装置において、
前記拡張可能部材の少なくとも一部分が前記細長い部材の長手方向軸の周りで４回転させてねじられるときに、前記シャフトが前記シャフトの近位端部と前記シャフトの前記遠位端部との間で３６０度未満のねじれ角を有するように構成された、装置。
【請求項３０】
請求項１記載の装置において、
前記シャフトが、ナノ粒子充填材を含む複合ポリマーから構成され、
前記拡張可能部材の少なくとも一部分が前記細長い部材の長手方向軸の周りで４回転させてねじられるときに、前記シャフトが前記シャフトの近位端部と前記シャフトの前記遠位端部との間で１８０度未満のねじれ角を有するように構成された、装置。
【請求項３１】
請求項１記載の装置において、
前記拡張可能部材の少なくとも一部分が前記細長い部材の長手方向軸の周りで４回転させてねじられるときに、前記細長い部材が前記細長い部材の近位端部と前記細長い部材の前記遠位端部との間で３６０度未満のねじれ角を有するように構成された、装置。
【請求項３２】
請求項１記載の装置において、
前記細長い部材が、内部に配設されたスタイレットを含み、前記スタイレットの少なくとも一部分が、前記細長い部材に接合され、
前記拡張可能部材の少なくとも一部分が前記細長い部材の長手方向軸の周りで４回転させてねじられるときに、前記スタイレットが前記スタイレットの近位端部と前記細長い部材の前記遠位端部との間で１８０度未満のねじれ角を有するように構成された、装置。
【請求項３３】
請求項１記載の装置において、更に、
前記細長い部材の外面と前記拡張可能部材の内面との間に配設されたスリーブを備え、
前記スリーブと、前記拡張可能部材の前記遠位端部と、前記細長い部材の前記遠位端部とが、一体として結合された、装置。
【請求項３４】
請求項１記載の装置において、更に、
前記細長い部材の外面と前記拡張可能部材の内面との間に配設されたスリーブを備え、
前記スリーブと、前記拡張可能部材の前記遠位端部と、前記細長い部材の前記遠位端部とが一体として結合され、
前記スリーブが、着色剤を含む、装置。
【請求項３５】
請求項１記載の装置において、更に、
前記細長い部材の外面と前記拡張可能部材の内面との間に配設されたスリーブを備え、
前記スリーブと、前記拡張可能部材の前記遠位端部と、前記細長い部材の前記遠位端部とが、熱接合プロセスまたはレーザ接合プロセスの少なくとも１つを使用して、一体として共に結合され、
前記スリーブが、前記スリーブと、前記拡張可能部材の前記遠位端部と、前記細長い部材の前記遠位端部との間の前記接合の強度を向上させるように構成された材料を含む、装置。
【請求項３６】
請求項１記載の装置において、更に、
前記細長い部材の内部に配設されたスタイレットであって、その少なくとも一部分が前記細長い部材の少なくとも第１の部分に接合されたスタイレットと、
前記細長い部材の外面と前記拡張可能部材の内面との間に配設されたスリーブと
を備え、
前記スリーブが、前記拡張可能部材の前記遠位端部と前記細長い部材の第２の部分とに結合される、装置。
【請求項３７】
請求項１記載の装置において、更に、
前記細長い部材の内部に配設されたスタイレットであって、その少なくとも一部分が前記細長い部材の少なくとも第１の部分に接合されたスタイレットと、
前記細長い部材の外面と前記拡張可能部材の内面との間に配設されたスリーブと
を備え、
前記スリーブが、前記拡張可能部材の前記遠位端部と前記細長い部材の第２の部分とに結合され、
前記細長い部材の前記第１の部分が、前記細長い部材の前記第２の部分の長さよりも大きい長さを有する、装置。
【請求項３８】
請求項１記載の装置において、更に、
前記細長い部材の内部に配設されたスタイレットであって、その少なくとも一部分が前記細長い部材の少なくとも第１の部分に接合され、前記第１の部分が、３ミリメートル未満の前記細長い部材の長手方向軸に沿った長さを有するスタイレットと、
前記細長い部材の外面と前記拡張可能部材の内面との間に配設されたスリーブと
を備え、
前記スリーブが、前記拡張可能部材の前記遠位端部と前記細長い部材の第２の部分とに結合され、
前記第２の部分が、５ミリメートルよりも大きい前記細長い部材の前記長手方向軸に沿った長さを有する、装置。
【請求項３９】
請求項１記載の装置において、
前記拡張可能部材が、拡張構成にあるときに、少なくとも０．１ミリメートルの壁厚と、少なくとも８ミリメートルの前記細長い部材の長手方向軸に実質的に垂直な軸に沿ったサイズとを有する、装置。
【請求項４０】
請求項１記載の装置において、更に、
前記細長いアセンブリの前記シャフトに結合された支持部材と、
前記細長いアセンブリの前記細長い部材に係合するように構成されたノブであって、前記ノブの係合部分が前記支持部材の係合部分と係合されるときに複数の離散増分で前記支持部材に関して回転するように構成されたノブと
を備える、装置。
【請求項４１】
請求項１記載の装置において、更に、
前記細長いアセンブリの前記シャフトに結合された支持部材と、
前記細長いアセンブリの前記細長い部材に係合するように構成されたノブであって、前記ノブの係合部分が前記支持部材の係合部分と係合されるときに複数の離散増分で前記支持部材に関して回転するように構成され、前記複数の離散増分からの各離散増分が、前記ノブの１回転未満であるノブと
を備える、装置。
【請求項４２】
請求項１記載の装置において、更に、
前記細長いアセンブリの前記シャフトに結合された支持部材と、
前記細長いアセンブリの前記細長い部材に係合するように構成されたノブであって、前記ノブの係合部分が前記支持部材の係合部分と係合されるときに複数の離散増分で前記支持部材に関して回転するように構成され、前記複数の離散増分からの各離散増分が、前記ノブの１回転に等しいノブと
を備える、装置。
【請求項４３】
請求項１記載の装置において、更に、
前記細長いアセンブリの前記シャフトに結合された支持部材と、
前記細長いアセンブリの前記細長い部材に係合するように構成されたノブであって、前記ノブの係合部分が前記支持部材の係合部分と係合されるときに複数の離散増分で前記支持部材に関して一方向で回転するように構成され、前記複数の離散増分からの各離散増分が、前記ノブの１回転未満であるノブと
を備える、装置。
【請求項４４】
請求項１記載の装置において、更に、
前記細長いアセンブリの前記シャフトに結合された支持部材と、
前記細長いアセンブリの前記細長い部材に係合するように構成されたノブであって、前記ノブの係合部分が前記支持部材の係合部分と係合されるときに複数の離散増分で前記支持部材に関して回転するように構成され、前記複数の離散増分からの各離散増分が、前記ノブの１回転未満であるノブと
を備え、
前記ノブが、前記ノブの前記係合部分が前記支持部材の前記係合部分と係合されるときに、前記支持部材に関して一方向で回転するように構成され、
前記ノブが、前記ノブの前記係合部分が前記支持部材の前記係合部分から係合解除されるときに、前記支持部材に関して二方向で回転するように構成された、装置。
【請求項４５】
請求項１記載の装置において、更に、
前記細長いアセンブリの前記シャフトに結合された支持部材と、
前記細長いアセンブリの前記細長い部材に係合するように構成されたノブであって、前記ノブの係合部分が前記支持部材の係合部分と係合されるときに複数の離散増分で前記支持部材に関して回転するように構成されたノブと
を備え、
前記複数の離散増分からの各離散増分が、前記支持部材の前記係合部分または前記ノブの前記係合部分の少なくとも一方によって画定される複数の凹部に関連付けられる、装置。
【請求項４６】
請求項１記載の装置において、更に、
前記細長い部材の前記シャフトに結合された支持部材と、
前記細長いアセンブリの前記細長い部材に係合するように構成されたノブであって、前記ノブの係合部分が前記支持部材の係合部分と係合されるときに、前記複数の離散増分で前記支持部材に関して回転するように構成されたノブと
を備え、
前記複数の離散増分からの各離散増分が、前記支持部材の前記係合部分または前記ノブの前記係合部分の少なくとも一方に含まれる複数の突起に関連付けられる、装置。
【請求項４７】
請求項１記載の装置において、更に、
前記細長いアセンブリの前記シャフトに結合された支持部材であって、複数のラチェット歯を有する係合部分を有する支持部材と、
前記細長いアセンブリの前記細長い部材に係合するように構成されたノブであって、前記複数のラチェット歯に相補的に結合するように構成された複数の歯止め歯を有する係合部分を有するノブと
を備え、
前記ノブが、前記ノブの係合部分が前記支持部材の係合部分と係合されるときに複数の離散増分で前記支持部材に関して回転するように構成され、
前記複数の離散増分からの少なくとも１つの離散増分が、前記複数のラチェット歯からのラチェット歯と、前記複数の歯止め歯からの歯止め歯とに関連付けられる、装置。
【請求項４８】
請求項１記載の装置において、更に、
前記細長いアセンブリの前記シャフトに結合された支持部材と、
前記細長いアセンブリの前記細長い部材に係合するように構成されたノブであって、前記ノブの係合部分が前記支持部材の係合部分と係合されるときに複数の離散増分で前記支持部材に関して回転するように構成されたノブと、
前記ノブを前記支持部材に関して回転させることができる回転数を制限するように構成された回転制限器と
を備える、装置。
【請求項４９】
請求項１記載の装置において、更に、
前記細長いアセンブリの前記シャフトに結合された支持部材と、
前記細長いアセンブリの前記細長い部材に係合するように構成されたノブであって、前記ノブの係合部分が前記支持部材の係合部分と係合されるときに複数の離散増分で前記支持部材に関して回転するように構成されたノブと、
前記ノブを第１の方向で前記支持部材に関して回転させることができる回転数を制限するように構成された第１の回転制限器と、
前記ノブを前記第１の方向とは逆の第２の方向で前記支持部材に関して回転させることができる回転数を制限するように構成された第２の回転制限器と
を備える、装置。
【請求項５０】
請求項１記載の装置において、更に、
前記細長いアセンブリの前記シャフトに結合された支持部材と、
前記細長いアセンブリの前記細長い部材に係合するように構成されたノブであって、前記ノブの係合部分が前記支持部材の係合部分と係合されるときに複数の離散増分で前記支持部材に関して回転するように構成されたノブと、
前記ノブが前記支持部材に関して回転した回転数を表示するように構成された回転表示器と
を備える、装置。
【請求項５１】
請求項１記載の装置において、更に、
前記細長いアセンブリの前記シャフトに結合された支持部材と、
前記細長いアセンブリの前記細長い部材に係合されるように構成されたノブであって、前記ノブの係合部分が前記支持部材の係合部分と係合されるときに複数の離散増分で支持部材に関して回転するように構成されたノブと
を備え、
前記ノブの前記係合部分と前記支持部材の前記係合部分とが、前記ノブが前記複数の離散増分からの１つの離散増分で前記支持部材に関して回転するとき、及び、前記ノブの前記係合部分が前記支持部材の前記係合部分と係合されるときに、可聴音を協働して生成するように構成された、装置。
【請求項５２】
請求項１記載の装置において、更に、
前記細長いアセンブリの前記シャフトに結合された支持部材と、
前記細長いアセンブリの前記細長い部材に係合するように構成されたノブであって、前記ノブの係合部分が前記支持部材の係合部分と係合されるときに複数の離散増分で前記支持部材に関して回転するように構成されたノブと
を備え、
前記ノブの前記係合部分と前記支持部材の前記係合部分とが、前記ノブが前記複数の離散増分からの１つの離散増分で前記支持部材に関して回転するとき、及び、前記ノブの前記係合部分が前記支持部材の前記係合部分と係合されるときに、触覚出力を協働して生成するように構成された、装置。
【請求項５３】
請求項１記載の装置において、更に、
前記細長いアセンブリの前記シャフトに結合された支持部材であって、前記細長いアセンブリの前記細長い部材が中を通して配設される内腔を画定する支持部材と、
前記支持部材の周りに配設され、前記支持部材と同心であるノブであって、前記細長いアセンブリの前記細長い部材に係合するように構成され、前記ノブの係合部分が前記支持部材の係合部分と係合されるときに複数の離散増分で前記支持部材に関して回転するように構成されたノブと
を備える、装置。
【請求項５４】
請求項１記載の装置において、更に、
前記細長いアセンブリの前記シャフトに結合された支持部材と、
前記支持部材の周りに配設され、前記支持部材と同心であるノブであって、前記細長いアセンブリが前記ノブに関して長手方向で移動することができるように前記細長いアセンブリの前記細長い部材の一部分を受け取るように構成された開口を画定し、前記細長いアセンブリの前記細長い部材に係合するように構成され、前記ノブの係合部分が前記支持部材の係合部分と係合されるときに複数の離散増分で前記支持部材に関して回転するように構成されたノブと
を備える、装置。
【請求項５５】
請求項１記載の装置において、更に、
前記細長いアセンブリの前記細長い部材を複数の離散増分で前記細長いアセンブリの前記シャフトに関して回転させるように構成されたアクチュエータを備える、装置。
【請求項５６】
請求項１記載の装置において、更に、
前記細長いアセンブリの前記細長い部材が前記細長いアセンブリの前記シャフトに関して回転するときに前記拡張可能部材の少なくとも一部分が前記細長い部材の中心線の周りでねじられるように、前記細長いアセンブリの前記細長い部材を複数の離散増分で前記細長いアセンブリの前記シャフトに関して回転させるように構成されたアクチュエータを備える、装置。
【請求項５７】
請求項１記載の装置において、更に、
前記細長いアセンブリの前記細長い部材を複数の離散増分で前記細長いアセンブリの前記シャフトに関して回転させるように構成されたアクチュエータを備え、
前記複数の離散増分からの各離散増分が、前記細長い部材の１回転未満である、装置。
【請求項５８】
請求項１記載の装置において、更に、
前記細長いアセンブリの前記細長い部材を複数の離散増分で前記細長いアセンブリの前記シャフトに関して回転させるように構成されたアクチュエータを備え、
前記複数の離散増分からの各離散増分が、前記細長い部材の約３０度の回転である、装置。
【請求項５９】
請求項１記載の装置において、更に、
前記細長いアセンブリの前記細長い部材を複数の離散増分で前記細長いアセンブリの前記シャフトに関して回転させるように構成されたアクチュエータであって、前記シャフトに関する前記細長い部材の回転の方向を選択的に限定するように構成されたアクチュエータを備える、装置。
【請求項６０】
請求項１記載の装置において、更に、
前記細長いアセンブリの前記細長い部材を第１の方向で複数の離散増分で前記細長いアセンブリの前記シャフトに関して回転させるように構成されたアクチュエータを備え、
前記アクチュエータが、第１の構成にあるときに、前記第１の方向とは逆の第２の方向での前記シャフトに関する前記細長い部材の回転を防止するように構成され、
前記アクチュエータが、第２の構成にあるときに、前記細長い部材を前記第１の方向及び前記第２の方向で前記シャフトに関して回転させるように構成された、装置。
【請求項６１】
請求項１記載の装置において、更に、
前記細長いアセンブリの前記細長い部材を複数の離散増分で前記細長いアセンブリの前記シャフトに関して回転させるように構成されたアクチュエータであって、前記細長い部材を前記シャフトに関して回転させることができる回転数を制限するように構成されたアクチュエータを備える、装置。
【請求項６２】
請求項１記載の装置において、更に、
前記細長いアセンブリの前記細長い部材を複数の離散増分で前記細長いアセンブリの前記シャフトに関して回転させるように構成されたアクチュエータであって、前記シャフトに関する前記細長い部材の角度変位に関連付けられた表示を生成するように構成されたアクチュエータを備える、装置。
【請求項６３】
請求項１記載の装置において、更に、
ラチェットホイールを有する第１の部材であって、前記細長いアセンブリの前記シャフトに結合された第１の部材と、
歯止め部分を有する第２の部材であって、前記細長いアセンブリの前記細長い部材に係合する第２の部材と
を備え、
前記第２の部材と前記第１の部材とが一体として第１の構成にあるときに、前記第２の部材の前記歯止め部分が、前記第１の部材の前記ラチェットホイールに係合し、前記第１の部材に関する前記第２の部材の回転に協働して抵抗するように構成され、
前記第２の部材と前記第１の部材とが一体として第２の構成にあるときに、前記第２の部材の前記歯止め部分が前記第１の部材の前記ラチェットホイールから離隔されるように構成された、装置。
【請求項６４】
請求項１記載の装置において、更に、
ラチェットホイールを有する第１の部材であって、前記細長いアセンブリの前記シャフトに結合された第１の部材と、
歯止め部分を有する第２の部材であって、前記細長いアセンブリの前記細長い部材に係合する第２の部材と
を備え、
前記第２の部材と前記第１の部材とが一体として第１の構成にあるときに、前記第２の部材の前記歯止め部分が、前記第１の部材の前記ラチェットホイールに係合し第１の方向での前記第１の部材に関する前記第２の部材の回転に協働して抵抗するように、且つ、前記第１の方向とは逆の第２の方向での前記第１の部材に関する前記第２の部材の回転を防止するように構成され、
前記第２の部材と前記第１の部材とが一体として第２の構成にあるときに、前記第２の部材の前記歯止め部分が前記第１の部材の前記ラチェットホイールから離隔されるように構成された、装置。
【請求項６５】
請求項１記載の装置において、更に、
ラチェットホイールを有する第１の部材であって、前記細長いアセンブリの前記シャフトに結合された第１の部材と、
歯止め部分を有する第２の部材であって、前記細長いアセンブリの前記細長い部材に係合する第２の部材と
を備え、
前記第２の部材と前記第１の部材とが一体として、前記第１の部材に関する前記第２の部材の第１の長手方向位置に対応する第１の構成にあるときに、前記第２の部材の前記歯止め部分が、前記第１の部材の前記ラチェットホイールに係合し、前記第１の部材に関する前記第２の部材の回転に協働して抵抗するように構成され、
前記第２の部材と前記第１の部材とが一体として、前記第１の長手方向位置とは異なる前記第１の部材に関する前記第２の部材の第２の長手方向位置に対応する第２の構成にあるときに、前記第２の部材の前記歯止め部分が前記第１の部材の前記ラチェットホイールから離隔されるように構成された、装置。
【請求項６６】
請求項１記載の装置において、更に、
ラチェットホイールを有する第１の部材であって、前記細長いアセンブリの前記シャフトに結合された第１の部材と、
歯止め部分を有する第２の部材であって、前記細長いアセンブリの前記細長い部材に係合する第２の部材と
を備え、
前記第２の部材と前記第１の部材とが一体として第１の構成にあるときに、前記第２の部材の前記歯止め部分が、前記第１の部材の前記ラチェットホイールに係合し、前記第１の部材に関する前記第２の部材の回転に協働して抵抗するように構成され、
前記第２の部材と前記第１の部材が一体として第２の構成にあるときに、前記第２の部材の前記歯止め部分が前記第１の部材の前記ラチェットホイールから離隔されるように構成され、
さらに、前記第１の部材と前記第２の部材とを前記第１の構成にバイアスするように構成されたバイアス部材を備える、装置。
【請求項６７】
請求項１記載の装置において、更に、
ラチェットホイールを有する第１の部材であって、前記細長いアセンブリに関して長手方向で移動することができるように前記細長いアセンブリの前記シャフトに結合された第１の部材と、
歯止め部分を有する第２の部材であって、前記細長いアセンブリの前記細長い部材に係合する第２の部材と
を備え、
前記第２の部材と前記第１の部材とが一体として第１の構成にあるときに、前記第２の部材の前記歯止め部分が、前記第１の部材の前記ラチェットホイールに係合し、前記第１の部材に関する前記第２の部材の回転に協働して抵抗するように構成され、
前記第２の部材と前記第１の部材とが一体として第２の構成にあるときに、前記第２の部材の前記歯止め部分が前記第１の部材の前記ラチェットホイールから離隔されるように構成された、装置。
【請求項６８】
請求項１記載の装置において、更に、
前記細長いアセンブリの前記シャフトに結合されるように構成された支持部材と、
前記細長いアセンブリの前記細長い部材に係合するように構成されたノブと
を備え、
前記支持部材と前記ノブとが一体として第１の構成にあるときに、前記ノブが、前記支持部材に関して一方向で回転するように構成され、
前記支持部材と前記ノブとが一体として第２の構成にあるときに、前記ノブが、前記支持部材に関して二方向で回転するように構成された、装置。
【請求項６９】
請求項１記載の装置において、更に、
前記拡張可能部材の少なくとも一部分を前記細長い部材の中心線の周りでねじるために、前記細長いアセンブリの前記細長い部材を第１の方向で前記細長いアセンブリの前記シャフトに関して回転させるように構成されたアクチュエータであって、前記第１の方向とは逆の第２の方向での前記シャフトに関する前記細長い部材の回転を防止するように構成されたアクチュエータを備える、装置。
【請求項７０】
請求項１記載の装置において、更に、
前記拡張可能部材の少なくとも一部分を前記細長い部材の中心線の周りでねじるために、前記細長いアセンブリの前記細長い部材を第１の方向で前記細長いアセンブリの前記シャフトに関して少なくとも４回転させて回転させるように構成されたアクチュエータであって、前記第１の方向とは逆の第２の方向での前記シャフトに関する前記細長い部材の回転を防止するように構成されたアクチュエータを備える、装置。
【請求項７１】
細長い部材と、
前記細長い部材に結合された膨張可能部材と、
前記拡張可能部材の外面が前記外側シースの内面と不連続に接触するように前記拡張可能部材の周りに配設された外側シースと
を備え、
前記拡張可能部材と前記外側シースとが、縮退構成と拡張構成との間で移動するときに、骨構造を協働して変位させるように構成された、装置。
【請求項７２】
請求項７１記載の装置において、
前記細長い部材が、前記拡張可能部材の内域部分と流体連通する通路を画定する、装置。
【請求項７３】
請求項７１記載の装置において、
前記拡張可能部材が、第１の材料から構成され、
前記外側シースが、前記第１の材料とは異なる第２の材料から構成された、装置。
【請求項７４】
請求項７１記載の装置において、
前記拡張可能部材が、ある分子構造を有する第１のポリマーから構成され、
前記外側シースが、前記第１のポリマーの前記分子構造よりも非晶質の分子構造を有する第２のポリマーから構成された、装置。
【請求項７５】
請求項７１記載の装置において、
前記拡張可能部材が、ある潤滑性を有する第１のポリマーから構成され、
前記外側シースが、前記第１のポリマーの前記潤滑性よりも大きい潤滑性を有する第２のポリマーから構成された、装置。
【請求項７６】
請求項７１記載の装置において、
前記拡張可能部材が、ナイロンを含み、
前記外側シースが、ポリテトラフルオロエチレン（ＰＴＦＥ）を含む、装置。
【請求項７７】
請求項７１記載の装置において、
前記拡張可能部材が、０パーセント乃至２０パーセントの間のコンプライアンスを有する第１のポリマーから構成され、
前記外側シースが、前記第１のポリマーの前記コンプライアンスよりも大きいコンプライアンスを有する第２のポリマーから構成された、装置。
【請求項７８】
請求項７１記載の装置において、
前記拡張可能部材が、０パーセント乃至２０パーセントの間のコンプライアンスを有する第１のポリマーから構成され、
前記外側シースが、約５０パーセントのコンプライアンスを有する第２のポリマーから構成された、装置。
【請求項７９】
請求項７１記載の装置において、
前記外側シースが、９０ミリグラム未満の材料損失のテーバ耐摩耗性値、７０立方ミリメートル未満の回転ドラム耐摩耗性値、２．５４ｃｍ当たり１２７．１２ｋｇ（１インチ当たり２８０ポンド）よりも大きいエルメンドルフ引裂き強度、または少なくとも５．４５ｋｇ（１２ポンド）の穿孔力の少なくとも１つによって特徴付けられる、装置。
【請求項８０】
請求項７１記載の装置において、
前記拡張可能部材と前記外側シースとが、一体として、少なくとも７１．４メガパスカルの定格バースト圧を有する、装置。
【請求項８１】
請求項７１記載の装置において、
前記拡張可能部材と前記外側シースとが、一体として、７１．４メガパスカル乃至２．８メガパスカルの間の定格バースト圧を有する、装置。
【請求項８２】
請求項７１記載の装置において、
前記拡張可能部材と前記外側シースとが、一体として、少なくとも５．５メガパスカルの定格バースト圧を有する、装置。
【請求項８３】
請求項７１記載の装置において、更に、
前記外側シースを前記拡張可能部材に結合させるように構成されたクランプを備える、装置。
【請求項８４】
請求項７１記載の装置において、
前記骨構造が、椎骨終板であり、
前記拡張可能部材と前記外側シースとが、脊椎の残りの部分に関して前記椎骨終板を変位させることに関連付けられる圧力に協働して耐えるように構成された、装置。
【請求項８５】
細長い部材と、
前記細長い部材に結合された拡張可能部材であって、第１の材料から構成された拡張可能部材と、
前記拡張可能部材の周りに配設された外側シースであって、前記第１の材料とは異なる第２の材料から構成された外側シースと、
前記外側シースを前記拡張可能部材に結合させるように構成されたクランプと
を備える、装置。
【請求項８６】
請求項８５記載の装置において、
前記拡張可能部材と前記外側シースとが、縮退構成と拡張構成との間で移動するときに、脊椎の第１の部分を前記脊椎の第２の部分に関して協働して変位させるように、且つ、前記脊椎の前記第１の部分と前記脊椎の前記第２の部分とによる穿孔に耐えるように構成された、装置。
【請求項８７】
請求項８５記載の装置において、
前記拡張可能部材の外面が、前記外側シースの内面と不連続に接触する、装置。
【請求項８８】
請求項８５記載の装置において、
前記第１の材料が、ある分子構造を有する第１のポリマーを含み、
前記第２の材料が、前記第１のポリマーの分子構造よりも非晶質の分子構造を有する第２のポリマーを含む、装置。
【請求項８９】
請求項８５記載の装置において、
前記第１の材料が、ナイロンを含み、
前記第２の材料が、ポリテトラフルオロエチレン（ＰＴＦＥ）を含む、装置。
【請求項９０】
請求項８５記載の装置において、
前記第１の材料が、０パーセント乃至２０パーセントの間のコンプライアンスを有する第１のポリマーを含み、
前記第２の材料が、前記第１のポリマーの前記コンプライアンスよりも大きいコンプライアンスを有する第２のポリマーを含む、装置。
【請求項９１】
請求項８５記載の装置において、
前記外側シースが、９０ミリグラム未満の材料損失のテーバ耐摩耗性値、７０立方ミリメートル未満の回転ドラム耐摩耗性値、２．５４ｃｍ当たり１２７．１２ｋｇ（１インチ当たり２８０ポンド）よりも大きいエルメンドルフ引裂き強度、または少なくとも５．４４８ｋｇ（１２ポンド）の穿孔力の少なくとも１つによって特徴付けられる、装置。
【請求項９２】
請求項８５記載の装置において、
前記拡張可能部材と前記外側シースとが、一体として、少なくとも５．５メガパスカルの定格バースト圧を有する、装置。
【請求項９３】
請求項８５記載の装置において、
前記拡張可能部材が、前記縮退構成にあるときに複数の襞を画定する、装置。
【請求項９４】
請求項８５記載の装置において、
前記クランプが、弾性バンド、非弾性タイラップ、ばねクランプ、またはスエージクランプの任意の１つである、装置。
【請求項９５】
請求項８５記載の装置において、
前記クランプが、ステンレス鋼、ニッケルとチタンとを含む合金、チタン、または白金の少なくとも１つから構成される、装置。
【請求項９６】
請求項８５記載の装置において、
前記クランプが、更に、前記拡張可能部材を前記細長い部材に対して流体封止するように構成された、装置。
【請求項９７】
細長い部材と、
前記細長い部材に結合された拡張可能部材と
を備え、
前記拡張可能部材が、縮退構成と拡張構成との間で移動するときに前記脊椎の第１の部分を前記脊椎の第２の部分に関して変位させるように構成され、
前記拡張可能部材が、第１の層と、前記第１の層の周りに配設された第２の層とを含み、
前記第１の層が、ある分子構造を有する第１のポリマーから構成され、
前記第２の層が、前記第１のポリマーの前記分子構造よりも非晶質の分子構造を有する第２のポリマーから構成された、装置。
【請求項９８】
請求項９７記載の装置において、
前記第１の層が、前記縮退構成にあるときに複数の襞を画定し、
前記第２の層が、前記第１の層の外面が前記第２の層の内面と不連続に接触するように前記第１の層の周りに配設された、装置。
【請求項９９】
請求項９７記載の装置において、
前記第１の層が、０パーセント乃至２０パーセントの間のコンプライアンスを有し、
前記第２の層が、前記第１のポリマーの前記コンプライアンスよりも大きいコンプライアンスを有する、装置。
【請求項１００】
請求項９７記載の装置において、
前記拡張可能部材が、９０ミリグラム未満の材料損失のテーバ耐摩耗性値、７０立方ミリメートル未満の回転ドラム耐摩耗性値、２．５４ｃｍ当たり１２７．１２ｋｇ（１インチ当たり２８０ポンド）よりも大きいエルメンドルフ引裂き強度、または少なくとも５．４４８ｋｇ（１２ポンド）の穿孔力の少なくとも１つによって特徴付けられる、装置。
【請求項１０１】
請求項９７記載の装置において、
前記拡張可能部材が、少なくとも５．５メガパスカルの定格バースト圧を有する、装置。
【請求項１０２】
請求項９７記載の装置において、
前記脊椎の前記第１の部分または前記脊椎の前記第２の部分の少なくとも一方が、不応性の骨を含む、装置。
【請求項１０３】
請求項９７記載の装置において、更に、
前記第２の層を前記第１の層に結合させるように構成されたクランプを備える、装置。
【請求項１０４】
請求項９７記載の装置において、
前記細長い部材が、前記拡張可能部材の少なくとも一部分を所定の回転数だけ前記細長い部材の周りでねじるように構成されたアクチュエータを含む、装置。
【請求項１０５】
縮退構成から拡張構成に移動されるときに、骨構造の第１の部分を前記骨構造の第２の部分に関して変位させるように構成された拡張可能部材と、
内腔を画定するシャフト、及び
前記シャフトの前記内腔の内部に回転可能に配設された細長い部材
を含む細長いアセンブリと
を備え、
前記拡張可能部材の少なくとも一部分が前記細長い部材の周りで少なくとも４回転させてねじられるときに前記拡張可能部材の前記近位端部が前記シャフトの前記遠位端部に関して回転しないように、前記拡張可能部材の近位端部が前記シャフトの遠位端部に結合され、
前記拡張可能部材の少なくとも前記部分が前記細長い部材の周りで少なくとも４回転させてねじられるときに前記拡張可能部材の前記遠位端部が前記細長い部材の前記遠位端部に関して回転しないように、前記拡張可能部材の遠位端部が前記細長い部材の遠位端部に結合される、装置。
【請求項１０６】
請求項１０５記載の装置において、
前記細長いアセンブリが、体内に経皮的に挿入されるように構成されたカテーテルアセンブリである、装置。
【請求項１０７】
請求項１０５記載の装置において、
前記細長いアセンブリが、あるサイズを有する内腔を画定するカニューレを通して体内に経皮的に挿入されるように構成されたカテーテルアセンブリであり、
前記拡張可能部材が、前記拡張可能部材のサイズが前記カニューレによって画定される前記内腔の前記サイズよりも小さい挿入構成を有し、
前記拡張可能部材の前記部分が、前記拡張可能部材が前記挿入構成にあるときに前記細長い部材の周りで少なくとも４回転させてねじられる、装置。
【請求項１０８】
請求項１０５記載の装置において、
前記拡張可能部材が、少なくとも１２３．４メガパスカルの定格バースト圧を有する、装置。
【請求項１０９】
請求項１０５記載の装置において、
前記拡張部材部材の少なくとも前記部分が前記細長い部材の周りで少なくとも４回転させてねじられるときに前記拡張可能部材の前記遠位端部と前記細長い部材の前記遠位端部との間で気密封止が維持されるように、前記拡張可能部材の前記遠位端部が前記細長い部材の前記遠位端部に結合され、
前記拡張可能部材の少なくとも前記部分が前記細長い部材の周りで少なくとも４回転させてねじられるときに前記拡張可能部材の前記近位端部と前記シャフトの前記遠位端部との間で気密封止が維持されるように、前記拡張可能部材の前記近位端部が前記シャフトの前記遠位端部に結合された、装置。
【請求項１１０】
請求項１０５記載の装置において、
前記拡張可能部材の少なくとも前記部分が前記細長い部材の周りで少なくとも６回転させてねじられるときに前記拡張可能部材の前記遠位端部と前記細長い部材の前記遠位端部との間で気密封止が維持されるように、前記拡張可能部材の前記遠位端部が前記細長い部材の前記遠位端部に結合され、
前記拡張可能部材の少なくとも前記部分が前記細長い部材の周りで少なくとも６回転させてねじられるときに前記拡張可能部材の前記近位端部と前記シャフトの前記遠位端部との間で気密封止が維持されるように、前記拡張可能部材の前記近位端部が前記シャフトの前記遠位端部に結合された、装置。
【請求項１１１】
請求項１０５記載の装置において、
前記拡張可能部材の前記遠位端部が、約３ミリメートル未満の前記細長い部材の長手方向軸に沿った長さにわたって、前記細長い部材の前記遠位端部に接合された、装置。
【請求項１１２】
請求項１０５記載の装置において、
前記拡張可能部材の前記遠位端部が、約２ミリメートル未満の前記細長い部材の長手方向軸に沿った長さにわたって、前記細長い部材の前記遠位端部に接合された、装置。
【請求項１１３】
請求項１０５記載の装置において、
前記拡張可能部材の前記近位端部が、７ミリメートル未満の前記シャフトの長手方向軸に沿った長さにわたって、前記シャフトの前記遠位端部に接合された、装置。
【請求項１１４】
請求項１０５記載の装置において、
前記拡張可能部材の前記遠位端部が、熱接合プロセスとレーザ接合プロセスとを使用して、前記細長い部材の前記遠位端部に接合された、装置。
【請求項１１５】
請求項１０５記載の装置において、
前記拡張可能部材が、拡張構成にあるときに、少なくとも０．１２３ミリメートルの壁厚と、少なくとも８ミリメートルの前記細長い部材の前記長手方向軸に実質的に垂直な軸に沿ったサイズとを有する、装置。
【請求項１１６】
請求項１０５記載の装置において、
前記拡張可能部材の少なくとも前記部分が前記細長い部材の前記長手方向軸の周りで４回転させてねじられるときに、前記シャフトが前記シャフトの近位端部と前記シャフトの前記遠位端部との間で３６０度未満のねじれ角を有するように構成された、装置。
【請求項１１７】
請求項１０５記載の装置において、
前記シャフトが、ナノ粒子充填材を含む複合ポリマーから構成され、
前記拡張可能部材の少なくとも前記部分が前記細長い部材の前記長手方向軸の周りで４回転させてねじられるときに、前記シャフトが前記シャフトの近位端部と前記シャフトの前記遠位端部との間で１８０度未満のねじれ角を有するように構成された、装置。
【請求項１１８】
請求項１０５記載の装置において、
前記拡張可能部材の少なくとも前記部分が前記細長い部分の前記長手方向軸の周りで４回転させてねじられるときに、前記細長い部材が前記細長い部材の近位端部と前記細長い部材の前記遠位端部との間で３６０度未満のねじれ角を有するように構成された、装置。
【請求項１１９】
請求項１０５記載の装置において、
前記細長い部材が、内部に配設されたスタイレットを含み、
前記スタイレットの少なくとも一部分が、前記細長い部材に接合され、
前記拡張可能部材の少なくとも前記部分が前記細長い部材の前記長手方向軸の周りで４回させてねじられるときに、前記スタイレットが前記スタイレットの近位端部と前記細長い部材の前記遠位端部との間で１８０度未満のねじれ角を有するように構成された、装置。
【請求項１２０】
請求項１０５記載の装置において、更に、
前記シャフトの近位端部に結合されたアクチュエータを備え、
前記アクチュエータが、前記細長い部材の前記長手方向軸の周りで前記拡張可能部材をねじるために前記シャフト内部で前記細長い部材の少なくとも一部分を回転させるように構成された、装置。
【請求項１２１】
請求項１０５記載の装置において、更に、
前記細長い部材の外面と前記拡張可能部材の内面との間に配設されたスリーブを備え、
前記スリーブと、前記拡張可能部材の前記遠位端部と、前記細長い部材の前記遠位端部とが一体として結合された、装置。
【請求項１２２】
請求項１０５記載の装置において、更に、
前記細長い部材の外面と前記拡張可能部材の内面との間に配設されたスリーブを備え、
前記スリーブと、前記拡張可能部材の前記遠位端部と、前記細長い部材の前記遠位端部とが、一体として結合され、
前記スリーブが、着色剤を含む、装置。
【請求項１２３】
縮退構成から拡張構成に移動されるときに、脊椎の第１の部分を前記脊椎の第２の部分に関して変位させるように構成された拡張可能部材と、
シャフト、
前記シャフトの内部に回転可能に配設された細長い部材、及び
前記細長い部材の内部に配設されたスタイレットであって、少なくとも一部が前記細長い部材の少なくとも第１の部分に接合されたスタイレット
を含む細長いアセンブリと、
前記細長い部材の外面と前記拡張可能部材の内面との間に配設されたスリーブと
を備え、
前記スリーブが、前記拡張可能部材の前記遠位端部と前記細長い部材の第２の部分とに結合された、装置。
【請求項１２４】
請求項１２３記載の装置において、
前記スリーブと、前記拡張可能部材の前記遠位端部と、前記細長い部材の前記第２の部分とが、一体として結合された、装置。
【請求項１２５】
請求項１２３記載の装置において、
前記拡張可能部材の少なくとも一部分が前記細長い部材の周りで少なくとも４回転させてねじられるときに気密封止が維持されるように、前記スリーブと、前記拡張可能部材の前記遠位端部と、前記細長い部材の前記第２の部分とが、一体として結合された、装置。
【請求項１２６】
請求項１２３記載の装置において、
前記細長い部材の前記第１の部分が、前記細長い部材の前記第２の部分の長さよりも大きい長さを有する、装置。
【請求項１２７】
請求項１２３記載の装置において、
前記細長い部材の長手方向軸に沿った前記細長い部材の前記第１の部分の長さが、３ミリメートル未満であり、
前記細長い部材の前記長手方向軸に沿った前記細長い部材の前記第２の部分の長さが、５ミリメートルよりも大きい、装置。
【請求項１２８】
請求項１２３記載の装置において、
前記拡張可能部材の少なくとも一部分が前記細長い部材の周りで少なくとも４回転させてねじられるときに前記拡張可能部材の前記近位端部と前記シャフトの前記遠位端部との間で気密封止が維持されるように、前記拡張可能部材の近位端部が、７ミリメートル未満の前記シャフトの長手方向軸に沿った長さにわたって、前記シャフトの遠位端部に接合された、装置。
【請求項１２９】
請求項１２３記載の装置において、
前記拡張可能部材が、拡張構成にあるときに、少なくとも０．１ミリメートルの壁厚と、少なくとも８ミリメートルの前記細長い部材の長手方向軸に実質的に垂直な軸に沿ったサイズとを有する、装置。
【請求項１３０】
請求項１２３記載の装置において、
前記シャフトが、ナノ粒子充填材を含む複合ポリマーから構成され、
前記拡張可能部材の少なくとも一部分が前記細長い部材の前記長手方向軸の周りで少なくとも４回転させてねじられるときに、前記シャフトが前記シャフトの近位端と前記シャフトの遠位端との間で１８０度未満のねじれ角を有するように構成された、装置。
【請求項１３１】
請求項１２３記載の装置において、
前記スリーブと、前記拡張可能部材の前記遠位端部と、前記細長い部材の前記第２の部分とが、熱接合プロセスまたはレーザ接合プロセスの少なくとも１つを使用して、一体に接合され、
前記スリーブが、前記スリーブと、前記拡張可能部材の前記遠位端部と、前記細長い部材の前記第２の部分との間での前記接合の強度を向上させるように構成された材料を含む、装置。
【請求項１３２】
請求項１２３記載の装置において、
前記スリーブが、レーザによって励起されるように構成された着色剤を含む、装置。
【請求項１３３】
請求項１２３記載の装置において、
前記シャフト、前記細長い部材、または前記スタイレットの少なくとも１つが、非円形断面形状を有する、装置。
【請求項１３４】
請求項１２３記載の装置において、
前記スタイレットの近位部分が、前記拡張可能部分の少なくとも一部分を所定の回転数だけ前記細長い部材の周りでねじるように構成されたアクチュエータに係合するように構成された、装置。
【請求項１３５】
請求項１２３記載の装置において、
前記スタイレットの近位部分が、前記拡張可能部材の少なくとも一部分を増分様式で前記細長い部材の前記長手方向軸の周りでねじるように構成されたアクチュエータに係合するように構成された、装置。
【請求項１３６】
縮退構成から拡張構成に移動されるときに、骨構造の第１の部分を前記骨構造の第２の部分に関して変位させるように構成された拡張可能部材と、
前記拡張可能部材の近位端部に結合された遠位端部を有するシャフトと、
前記シャフトの内部に回転可能に配設された細長い部材であって、その遠位端部が前記拡張可能部材の遠位端部に結合される細長い部材と
を備え、
前記細長い部材の少なくとも一部分が前記シャフトに関して少なくとも４回転させて回転されるときに、前記シャフトが前記シャフトの近位端部と前記シャフトの前記遠位端部との間で１８０度未満のねじれ角を有するように構成された、装置。
【請求項１３７】
請求項１３６記載の装置において、
前記シャフトが、ナノ粒子充填材を含む複合ポリマーから構成された、装置。
【請求項１３８】
請求項１３６記載の装置において、
前記細長い部材の少なくとも前記部分が前記シャフトに関して少なくとも４回転させて回転されるときに、前記細長い部材が前記細長い部材の近位端部と前記細長い部材の前記遠位端部との間で１８０度未満のねじれ角を有するように構成された、装置。
【請求項１３９】
請求項１３６記載の装置において、
前記細長い部材が、内部に配設されたスタイレットを含み、
前記スタイレットの一部分が、前記細長い部材に接合され、
前記細長い部材の少なくとも前記部分が前記シャフトに関して少なくとも４回転させて回転されるときに、前記スタイレットが前記スタイレットの近位端部と前記細長い部材の前記遠位端部との間で１８０度未満のねじれ角を有するように構成された、装置。
【請求項１４０】
請求項１３６記載の装置において、
前記細長い部材が、ナノ粒子充填材を含む複合ポリマーから構成され、
前記細長い部材の少なくとも前記部分が前記シャフトに関して少なくとも４回転させて回転されるときに、前記細長い部材が前記細長い部材の近位端部と前記細長い部材の前記遠位端部との間で１８０度未満のねじれ角を有するように構成された、装置。
【請求項１４１】
請求項１３６記載の装置において、
前記拡張可能部材の少なくとも一部分が前記細長い部材の周りで少なくとも４回転させてねじられるときに前記拡張可能部材の前記遠位端部と前記細長い部材の前記遠位端部との間で気密封止が維持されるように、前記拡張可能部材の前記遠位端部が前記細長い部材の前記遠位端部に接合された、装置。
【請求項１４２】
請求項１３６記載の装置において、
前記拡張可能部材の少なくとも一部分が前記細長い部材の周りで少なくとも４回転させてねじられるときに前記拡張可能部材の前記近位端部と前記シャフトの前記遠位端部との間で気密封止が維持されるように、前記拡張可能部材の前記近位端部が前記シャフトの前記遠位端部に結合された、装置。
【請求項１４３】
カテーテルアセンブリのシャフトに結合された支持部材と、
前記カテーテルアセンブリのスタイレットに係合するように構成されたノブであって、前記ノブの係合部分が前記支持部材の係合部分と係合されるときに複数の離散増分で前記支持部材に関して回転するように構成された、ノブと
を備える、装置。
【請求項１４４】
請求項１４３記載の装置において、
前記ノブが前記支持部材に関して回転されるときに前記拡張可能部材の少なくとも一部分が前記カテーテルアセンブリの長手方向軸の周りでねじられるように、前記カテーテルアセンブリが、前記シャフト及び前記スタイレットに結合された拡張可能部材を含む、装置。
【請求項１４５】
請求項１４３記載の装置において、
前記カテーテルアセンブリが、前記スタイレットの周りに配設された細長い部材を含む、装置。
【請求項１４６】
請求項１４３記載の装置において、
前記複数の離散増分からの各離散増分が、前記ノブの１回転未満である、装置。
【請求項１４７】
請求項１４３記載の装置において、
前記複数の離散増分からの少なくとも１つの離散増分が、前記ノブの１回転に等しい、装置。
【請求項１４８】
請求項１４３記載の装置において、
前記ノブが、前記ノブの前記係合部分が前記支持部材の前記係合部分と係合されるときに前記支持部材に関して一方向で回転するように構成された、装置。
【請求項１４９】
請求項１４３記載の装置において、
前記ノブが、前記ノブの前記係合部分が前記支持部材の前記係合部分と係合されるときに前記支持部材に関して一方向で回転するように構成され、
前記ノブが、前記ノブの前記係合部分が前記支持部材の前記係合部分から係合解除されるときに前記支持部材に関して二方向で回転するように構成された、装置。
【請求項１５０】
請求項１４３記載の装置において、
前記複数の離散増分からの各離散増分が、前記支持部材の前記係合部分または前記ノブの前記係合部分の少なくとも一方によって画定される複数の凹部に関連付けられる、装置。
【請求項１５１】
請求項１４３記載の装置において、
前記複数の離散増分からの各離散増分が、前記支持部材の前記係合部分または前記ノブの前記係合部分の少なくとも一方に含まれる複数の突起に関連付けられる、装置。
【請求項１５２】
請求項１４３記載の装置において、
前記支持部材の前記係合部分が、複数のラチェット歯を含み、
前記ノブの前記係合部分が、前記複数のラチェット歯に相補的に結合するように構成された複数の歯止め歯を含み、
前記複数の離散増分からの１つの離散増分が、前記複数のラチェット歯からのラチェット歯と前記複数の歯止め歯からの歯止め歯とに関連付けられる、装置。
【請求項１５３】
請求項１４３記載の装置において、更に、
前記ノブを前記支持部材に関して回転させることができる回転数を制限するように構成された回転制限器を備える、装置。
【請求項１５４】
請求項１４３記載の装置において、更に、
前記ノブを第１の方向で前記支持部材に関して回転させることができる回転数を制限するように構成された第１の回転制限器と、
前記ノブを前記第１の方向とは逆の第２の方向で前記支持部材に関して回転させることができる回転数を制限するように構成された第２の回転制限器と
を備える、装置。
【請求項１５５】
請求項１４３記載の装置において、更に、
前記ノブが前記支持部材に関して回転した回転数を示すように構成された回転表示器を備える、装置。
【請求項１５６】
請求項１４３記載の装置において、
前記ノブの前記係合部分と前記支持部材の前記係合部材とが、前記ノブが前記複数の離散増分からの１つの離散増分で前記支持部材に関して回転するとき、及び、前記ノブの前記係合部分が前記支持部材の前記係合部分と係合されるときに、可聴音を協働して生成するように構成された、装置。
【請求項１５７】
請求項１４３記載の装置において、
前記ノブの前記係合部分と前記支持部材の前記係合部分とが、前記ノブが前記複数の離散増分からの１つの離散増分で前記支持部材に関して回転するとき、及び、前記ノブの前記係合部分が前記支持部材の前記係合部分と係合されるときに、触覚出力を協働して生成するように構成された、装置。
【請求項１５８】
請求項１４３記載の装置において、
前記ノブが、前記支持部材の周りに配設され、前記支持部材と同心であり、
前記支持部材が、前記スタイレットが中を通して配設される内腔を画定する、装置。
【請求項１５９】
請求項１４３記載の装置において、
前記ノブが、前記スタイレットが前記ノブに関して長手方向で移動することができるように前記カテーテルアセンブリの前記スタイレットの一部分を受け取るように構成された開口を画定する、装置。
【請求項１６０】
第１のシャフトと、前記第１のシャフトの内部に配設された第２のシャフトとを有する細長いアセンブリであって、前記第１のシャフトが拡張可能部材の近位部分に結合されるように構成され、前記第２のシャフトが前記拡張可能部材の遠位部分に結合されるように構成された、細長いアセンブリと、
前記第２のシャフトを複数の離散増分で前記第１のシャフトに関して回転させるように構成されたアクチュエータと
を備える、装置。
【請求項１６１】
請求項１６０記載の装置において、
前記拡張可能部材の少なくとも一部分が、前記アクチュエータが第２のシャフトを前記第１のシャフトに関して回転させるときに、前記第２のシャフトの中心線の周りでねじられる、装置。
【請求項１６２】
請求項１６０記載の装置において、
前記細長いアセンブリが、更に、前記第２のシャフトの内部に配設されたスタイレットを含む、装置。
【請求項１６３】
請求項１６０記載の装置において、
前記第１のシャフトが、第１のカテーテルを含み、
前記第２のシャフトが、第２のカテーテルを含む、装置。
【請求項１６４】
請求項１６０記載の装置において、
前記複数の離散増分からの各離散増分が、前記第２のシャフトの１回転未満である、装置。
【請求項１６５】
請求項１６０記載の装置において、
前記複数の離散増分からの各離散増分が、前記第２のシャフトの約３０度の回転である、装置。
【請求項１６６】
請求項１６０記載の装置において、
前記アクチュエータが、前記第１のシャフトに関する前記第２のシャフトの回転の方向を選択的に限定するように構成された、装置。
【請求項１６７】
請求項１６０記載の装置において、
前記アクチュエータが、第１の構成にあるときに、前記第２のシャフトを第１の方向で前記複数の離散増分で前記第１のシャフトに関して回転させるように、かつ前記第１の方向とは逆の第２の方向での前記第１のシャフトに関する前記第２のシャフトの回転を防止するように構成され、
前記アクチュエータが、第２の構成にあるときに、前記第２のシャフトを前記第１の方向及び前記第２の方向で前記第１のシャフトに関して回転させるように構成された、装置。
【請求項１６８】
請求項１６０記載の装置において、
前記アクチュエータが、前記第２のシャフトを前記第１のシャフトに関して回転させることができる回転数を制限するように構成された、装置。
【請求項１６９】
請求項１６０記載の装置において、
前記アクチュエータが、前記第１のシャフトに関する前記第２のシャフトの角度変位に関連付けられる表示を生成するように構成された、装置。
【請求項１７０】
請求項１６０記載の装置において、
前記アクチュエータが、
前記細長いアセンブリの前記第１のシャフトに結合されるように構成されたラチェットホイールであって、複数のラチェット歯を有するラチェットホイールと、
ノブが前記ラチェットホイールに関して回転されるときに前記第２のシャフトが前記第１のシャフトに関して回転されるように、前記細長いアセンブリの前記第２のシャフトに係合するように構成されたノブであって、少なくとも１つの歯止めを含むノブと
を含み、
前記複数の離散増分からの各離散増分が、前記複数のラチェット歯からのラチェット歯に関連付けられる、装置。
【請求項１７１】
請求項１６０記載の装置において、
前記アクチュエータが、
前記細長いアセンブリの前記第１のシャフトに結合されるように構成されたラチェットホイールであって、複数のラチェット歯を有するラチェットホイールと、
前記細長いアセンブリの前記第２のシャフトに係合するように構成されたノブであって、前記ノブが前記ラチェットホイールに関して回転されるときに、前記ノブが、前記複数のラチェット歯からの各ラチェット歯の一部分に係合するように、かつ前記複数の離散増分からの各離散増分を定義するように構成された少なくとも１つの歯止めを含むノブと
を含む、装置。
【請求項１７２】
請求項１６０記載の装置において、
前記アクチュエータが、
ラチェットホイールが前記第１のシャフトに関して長手方向で移動することができるように前記細長いアセンブリの前記第１のシャフトに結合されるように構成されたラチェットホイールであって、複数のラチェット歯を有するラチェットホイールと、
ノブが前記ラチェットホイールに関して回転されるときに前記第２のシャフトが前記第１のシャフトに関して回転されるように、且つ、前記第２のシャフトが前記ノブに関して長手方向で移動することができるように、前記細長いアセンブリの前記第２のシャフトの一部分を受け取るように構成された開口を画定するノブと
を含み、
前記複数の離散増分からの各離散増分が、前記複数のラチェット歯からのラチェット歯に関連付けられる、装置。
【請求項１７３】
ラチェットホイールを有する第１の部材であって、カテーテルに結合された第１の部材と、
歯止め部分を有する第２の部材であって、前記カテーテルの内部に回転可能に配設されたシャフトに係合する第２の部材と
を備え、
前記第２の部材と前記第１の部材とが一体として第１の構成にあるときに、前記第２の部材の前記歯止め部分が、前記第１の部材の前記ラチェットホイールに係合し、前記第１の部材に関する前記第２の部材の回転に協働して抵抗するように構成され、
前記第２の部材と前記第１の部材とが一体として第２の構成にあるときに、前記第２の部材の前記歯止め部分が前記第１の部材の前記ラチェットホイールから離隔されるように構成された、装置。
【請求項１７４】
請求項１７３記載の装置において、
前記シャフトがスタイレットを含む、装置。
【請求項１７５】
請求項１７３記載の装置において、
前記カテーテルが、第１のカテーテルであり、
前記シャフトが、第２のカテーテルである、装置。
【請求項１７６】
請求項１７３記載の装置において、
前記第２の部材と前記第１の部材とが一体として前記第１の構成にあるときに、前記第２の部材の前記歯止め部分が、前記第１の部材の前記ラチェットホイールに係合し、第１の方向での前記第１の部材に関する前記第２の部材の回転に協働して抵抗するように構成され、
前記第２の部材と前記第１の部材とが一体として前記第１の構成にあるときに、前記歯止め部分と前記ラチェットホイールとが、前記第１の方向とは逆の第２の方向での前記第１の部材に関する前記第２の部材の回転を協働して防止するように構成された、装置。
【請求項１７７】
請求項１７３記載の装置において、
前記第１の部材の前記ラチェットホイールが、複数のラチェット歯を含み、
前記第２の部材と前記第１の部材とが一体として前記第１の構成にあるときに、前記第２の部材が、複数の離散増分で前記第１の部材に関して回転するように構成され、
前記複数の離散増分からの各離散増分が、前記複数のラチェット歯からのラチェット歯に関連付けられる、装置。
【請求項１７８】
請求項１７３記載の装置において、
前記第１の部材の前記ラチェットホイールが、複数のラチェット歯を含み、
前記第２の部材の前記歯止め部分が、少なくとも１つの歯止めを含み、
前記第２の部材と前記第１の部材とが一体として前記第１の構成にあるとき、且つ、前記第２の部材が前記第１の部材に関して回転されるときに、前記少なくとも１つの歯止めが前記複数のラチェット歯からの各ラチェット歯に係合するように構成された、装置。
【請求項１７９】
請求項１７３記載の装置において、
前記第１の構成が、前記第１の部材に関する前記第２の部材の第１の長手方向位置に対応し、
前記第２の構成が、前記第１の長手方向位置とは異なる前記第１の部材に関する前記第２の部材の第２の長手方向位置に対応する、装置。
【請求項１８０】
請求項１７３記載の装置において、更に、
前記第１の部材と前記第２の部材とを前記第１の構成にバイアスするように構成されたバイアス部材を備える、装置。
【請求項１８１】
請求項１７３記載の装置において、
前記第２の部材が、前記シャフトが前記カテーテルに関して長手方向で移動することができるように前記シャフトの一部分を受け取るように構成された開口を画定する、装置。
【請求項１８２】
請求項１７３記載の装置において、
前記第１の部材が、前記第１の部材が前記カテーテルに関して長手方向で移動することができるように前記カテーテルに結合されるように構成された装置。
【請求項１８３】
請求項１７３記載の装置において、更に、
前記第２の部材を前記第１の部材に関して回転させることができる回転数を制限するように構成された回転制限器を備える、装置。
【請求項１８４】
請求項１７３記載の装置において、更に、
前記ノブが前記支持部材に関して回転した回転数を表示するように構成された回転表示器を備える、装置。
【請求項１８５】
請求項１７３記載の装置において、
前記第２の部材の内面が、前記第１の部材の少なくとも一部分が内部に配設される内腔を画定し、
前記装置が、更に、
前記第１の部材の外面にねじ式に配設された回転表示器であって、前記第１の部材に関する前記第２の部材の回転が前記回転表示器を前記第１の部材の前記外面に関して回転させるように、前記第２の部材の前記内面によって画定される溝の内部に受け取られるように構成された突起を含む回転表示器を備える、装置。
【請求項１８６】
カテーテルアセンブリのシャフトに結合されるように構成された支持部材と、
前記カテーテルアセンブリの前記シャフトの内部に回転可能に配設された前記カテーテルアセンブリの細長い部材に係合するように構成されたノブと
を備え、
前記支持部材と前記ノブとが一体として第１の構成にあるときに、前記ノブが前記支持部材に関して一方向で回転するように構成され、
前記支持部材と前記ノブとが一体として第２の構成にあるときに、前記ノブが前記支持部材に関して二方向で回転するように構成された、装置。
【請求項１８７】
請求項１８６記載の装置において、更に、
前記シャフトに結合された拡張可能部材を含む前記カテーテルアセンブリを備える、装置。
【請求項１８８】
請求項１８６記載の装置において、更に、
前記カテーテルアセンブリが、前記ノブが前記支持部材に関して回転されるときに前記拡張可能部材の少なくとも一部分が前記カテーテルアセンブリの長手方向軸の周りでねじられるように、前記シャフトの遠位端部に結合された近位端部と、前記細長い部材の遠位端部に結合された遠位端部とを有する拡張可能部材を含む、装置。
【請求項１８９】
請求項１８６記載の装置において、更に、
内部に配設されたスタイレットを含む前記細長い部材を備える、装置。
【請求項１９０】
請求項１８６記載の装置において、
前記シャフトが第１のシャフトであり、
前記装置が、更に、
前記第１のシャフトと共に、前記細長い部材の周りに配設された第２のシャフトを含む前記カテーテルアセンブリを備える、装置。
【請求項１９１】
請求項１８６記載の装置において、
前記ノブが、歯止め部分を有し、
前記支持部材が、ラチェットホイールを有し、
前記支持部材と前記ノブとが一体として前記第１の構成にあるときに、前記ノブの前記歯止め部分が、前記支持部材の前記ラチェットホイールに係合し、第１の方向と逆の第２の方向での前記支持部材に関する前記ノブの回転を協働して防止するように構成され、
前記支持部材と前記ノブとが一体として前記第２の構成にあるときに、前記ノブの前記歯止め部分が、前記支持部材の前記ラチェットホイールから離隔されるように構成された、装置。
【請求項１９２】
請求項１８６記載の装置において、
前記支持部材と前記ノブとが一体として前記第１の構成にあるときに、前記ノブが複数の離散増分で前記支持部材に関して回転するように構成された、装置。
【請求項１９３】
請求項１８６記載の装置において、
前記支持部材と前記ノブとが一体として前記第１の構成にあるときに、前記ノブが複数の離散増分で前記支持部材に関して回転するように構成され、
前記複数の離散増分からの各離散増分が、前記ノブの１回転未満である、装置。
【請求項１９４】
請求項１８６記載の装置において、
前記支持部材が、複数のラチェット歯を含むラチェットホイールを有し、
前記ノブが、前記複数のラチェット歯に相補的に結合するように構成された複数の歯止め歯を含む歯止め部分を有し、
前記支持部材と前記ノブとが一体として前記第１の構成にあるときに、前記ノブが複数の離散増分で前記支持部材に関して回転するように構成され、
前記複数の離散増分からの１つの離散増分が、前記複数のラチェット歯からのラチェット歯と前記複数の歯止め歯からの歯止め歯とに関連付けられる、装置。
【請求項１９５】
請求項１８６記載の装置において、
前記第１の構成が、前記支持部材に関する前記ノブの第１の長手方向位置に対応し、
前記第２の構成が、前記第１の長手方向位置とは異なる前記支持部材に関する前記ノブの第２の長手方向位置に対応する、装置。
【請求項１９６】
請求項１８６記載の装置において、更に、
前記ノブと前記支持部材とを前記第１の構成にバイアスするように構成されたバイアス部材を備える、装置。
【請求項１９７】
請求項１８６記載の装置において、更に、
前記ノブが前記支持部材に関して回転した回転数を表示するように構成された回転表示器を備える、装置。
【請求項１９８】
請求項１８６記載の装置において、更に、
前記ノブを前記支持部材に関して回転させることができる回転数を制限するように構成された回転制限器を備える、装置。
【請求項１９９】
請求項１８６記載の装置において、
前記ノブが、前記細長い部材が前記ノブに関して長手方向で移動することができるように前記カテーテルアセンブリの前記細長い部材の一部分を受け取るように構成された開口を画定する、装置。
【請求項２００】
請求項１８６記載の装置において、
前記支持部材が、前記支持部材が前記シャフトに関して長手方向で移動することができるように前記カテーテルアセンブリの前記シャフトに結合されるように構成された、装置。
【請求項２０１】
第１のシャフトと、前記第１のシャフトの内部に配設された第２のシャフトとを有するカテーテルアセンブリと、
前記第１のシャフトに結合された近位部分、及び前記第２のシャフトに結合された遠位部分を有する拡張可能部材と、
前記拡張可能部材の少なくとも一部分を前記第２のシャフトの中心線の周りでねじるために前記第２のシャフトを第１の方向で前記第１のシャフトに関して回転させるように構成されたアクチュエータであって、前記第１の方向とは逆の第２の方向での前記第１のシャフトに関する前記第２のシャフトの回転を防止するように構成されたアクチュエータと
を備える、装置。
【請求項２０２】
請求項２０１記載の装置において、
前記拡張可能部材が、縮退構成と拡張構成との間で移動するときに、骨構造を変位させるように構成された、装置。
【請求項２０３】
請求項２０１記載の装置において、
前記拡張可能部材が、低コンプライアンスを有するポリマーから構成された、装置。
【請求項２０４】
請求項２０１記載の装置において、
前記アクチュエータが、前記第２のシャフトを前記第１の方向で前記第１のシャフトに関して少なくとも４回転させて回転させるように構成された、装置。
【請求項２０５】
請求項２０１記載の装置において、
前記アクチュエータが、前記第２のシャフトを複数の離散増分で前記第１のシャフトに関して回転させるように構成された、装置。
【請求項２０６】
請求項２０１記載の装置において、
前記アクチュエータが、前記第２のシャフトを前記第１のシャフトに関して回転させることができる回転数を制限するように構成された、装置。
【請求項２０７】
請求項２０１記載の装置において、
前記アクチュエータが、前記第１のシャフトに関する前記第２のシャフトの角度変位に関連付けられる表示を生成するように構成された、装置。
【請求項２０８】
請求項２０１記載の装置において、
前記アクチュエータが、
前記カテーテルアセンブリの前記第１のシャフトに結合されるように構成されたラチェットホイールであって、複数のラチェット歯を有するラチェットホイールと、
ノブが前記ラチェットホイールに関して回転されるときに前記第２のシャフトが前記第１のシャフトに関して回転されるように、前記カテーテルアセンブリの前記第２のシャフトに係合するように構成されたノブであって、前記第２の方向での前記ラチェットホイールに関する前記ノブの回転を防止するために、前記複数のラチェット歯に相補的に結合するように構成された少なくとも１つの歯止めを含むノブと
を含む、装置。
【請求項２０９】
請求項２０１記載の装置において、
前記アクチュエータが、前記アクチュエータが所定の運動範囲にわたって前記第１のシャフトに関して長手方向で移動することができるように、前記カテーテルアセンブリに結合された、装置。